(57)【要約】【課題】  下半身特に脚に障害を負った人にも履きやすく、かつ履用状態が安定できる靴を提供する。【解決手段】  アッパーの足内側の側面上縁３ａ、前甲上縁部２ａ及び踵上縁部５ａを通常の靴と同じ高さに湾曲形成するとともに、前甲上縁部２ａと踵上縁部５ａから他側面部４側に向かって湾曲状態の下がり開口部８を形成し、下がり開口部８は、前甲上縁部２ａから若干の前傾斜状態８ａで下方に大きく開口して接際部付近に至り、かつ、踵上縁部５ａから上記接際部付近に至るように前方下がり傾斜縁８ｃを形成して開口部をかたどり、この下がり傾斜縁の先端寄りの適宜間隔部分を、内底７の上面よりも僅かに高い低部状態８ｄとして形成した。【選択図】      図１
2005245831.tif 000002
【特許請求の範囲】
【請求項１】
履き口を、足部を包むアッパーの左右いずれか一側面部の上縁沿いとするとともに、他側面側は接際部付近まで至る下がり開口部として形成してなる靴。
【請求項２】
履き口を、足部を包むアッパーの前甲部及び後端部の各上縁部を含む左右いずれか一側面部の上縁沿いとするとともに、他側面側は接際部付近まで至る下がり開口部として形成してなる靴。
【請求項３】
他側面側の下がり開口部は、前甲部の上縁部から下前方に抉れ状に形成した開口前部を有してなるものである請求項１又は２に記載の靴。
【請求項４】
下がり開口部の開口下端部を内底上面よりも僅かに上位に位置するように形成してなる請求項１〜３のいずれかに記載の靴。
【発明の詳細な説明】
【技術分野】
【０００１】
本発明は、履き口を工夫した靴であって、一般人が履用できるのみならず、下半身特に脚に障害を有する人が履用するのに好適な靴に関する。
【背景技術】
【０００２】
靴の履き口は、左右側面、前甲部（舌の有無両方あり）、後端部（踵部）を囲うアッパー上縁沿いに水平方向に足首を囲うように形成されているものである。これは、少なくとも踝付近までの足全体をアッパー全体で包被することにより、靴の脱落やずれを生じさせないとともに、十分な歩行及び運動性能を発揮させるためである。
しかし、靴を履くには、靴を固定しておいて、履き口に足を差し込みつつ前方に足を押し込み、踵を下方に押し込まなければならない。足に対し前後方向及び上下方向の加圧力が必要である。紐やベルベット式ファスナー、或いはゴム布で前後部或いは側部を締める構成の靴（下記特許文献参照）であっても、靴を足に押し被せる操作に伴う応力を捉えれば、履く作用力は基本的には変わりはない。
【０００３】
一方、下半身特に脚に大きな障害を負った人の場合、足に前後方向の踏ん張り力を加えることがほとんどできないことも多い。腰或いは上半身とともに足をずらすことができるが、足の前後加圧は全身運動となってしまうことが多い。
このため、大きな障害を負った人は、一人で靴を履くことがほとんどできず、足先部を引掛けるだけのサンダル、スリッパを履いているのが現状である。
【０００４】
【特許文献１】特開２００１−２０４５０５号公報
【特許文献２】特開２０００−１０６９０９号公報
【発明の開示】
【発明が解決しようとする課題】
【０００５】
本発明者は、上記のような現状に注視し、下半身に大きな障害を負った人でも片足を左右方向にずらすことは比較的容易であることに着眼することにより、自ら履きやすいように工夫した靴を開発せんと努力したものである。
【課題を解決するための手段】
【０００６】
上記課題を解決するために、本発明は、履き口を、足部を包むアッパーの左右いずれか一側面部の上縁沿いとするとともに、他側面側は接際部付近まで至る下がり開口部として形成して靴を構成したことを特徴とするものである。
履き口は、足部を包むアッパーの前甲部及び後端部の各上縁部を含む左右いずれか一側面部の上縁沿いとするとともに、他側面側は接際部付近まで至る下がり開口部として形成するのが好ましい。
他側面側の下がり開口部は、前甲部の上縁部から下前方に抉れ状に形成した開口前部を有するようにするのが好ましく、この開口前部の抉れは足指付け根の関節部の後部に至るように形成するのが好ましい。
また、下がり開口部の開口下端部を内底上面よりも僅かに上位に位置するように形成するのが好ましく、前後方向に適度な水平乃至緩傾斜の下端縁部として形成するのが好ましい。
【発明の効果】
【０００７】
本発明の靴によれば、アッパーの一側面側は塞がれていて足を安定して保護でき、他側面側のみ履き口の開口部が接際部付近まで至って下がり開口しているので、従来公知の靴の履き口よりも一側方向が横及び下方に広く開口しており、上から爪先そして足全体を靴内に押し込む労力を要せず、足先を横方向から靴内に抵抗なく位置させることができ、そのまま力を入れることなく軽く足全体を靴内に収めることができ、履用に極めて便利である。
【０００８】
一側面部と前後に続く前甲部及び後端部の各上縁沿いが履き口としてあり、他側面側は下がり開口部としてあれば、履用状態において靴はアッパーで足を包被すると同時に、足に前後部と踵上部で保持されるので、靴が脱げ落ちてしまうおそれがない。
下がり開口部は、前甲部の上縁から前下方に抉れ状に形成してあれば、足を指先から横方向にずらしながら靴内に挿入し、靴内に収めやすくなる。下がり開口部の開口下端部が内底上面よりも若干上位に位置するように形成してあれば、靴が足に若干引っかかって、脱げ落ちを防ぐことができ、履用を安定的なものとすることができる。こうして、下半身特に脚などに重度な傷害を負った人が容易に履くことができる靴として特に好適であるとともに、一般人であっても事務室などで着脱しやすい靴として好適に利用することができるものである。
【発明を実施するための最良の形態】
【０００９】
以下、図面を用いて本発明の実施形態を説明する。
図示の靴は一般履用短靴タイプとして示したが、靴の長短やデザイン形態、ベルベット式ファスナーの装着の有無などは任意であり、前甲部を開閉構成としてあるか否かも任意である。この靴は、前甲部２、側面部３，４、踵部５を含むアッパー１と、大底６及び内底（中底）７を有して形成してある。
【００１０】
アッパーの一側面（好ましくは足内側＝親指側の側面）上縁３ａは通常の靴と同じ高さ例えば踝直下の高さとし、前甲上縁部２ａ及び踵上縁部５ａを通常の靴と同じようにやや高く湾曲形成するとともに、前甲上縁部２ａと踵上縁部５ａから他側面部４側に向かって湾曲状態の下がり開口部８を形成してなっている。この下がり開口部８は図５、６に示すごとく、足を爪先側から横方向にずらしつつ靴内に挿入しやすいような十分に大きな開口として形成してある。上記アッパーの上縁部と開口部とによって囲われて履き口が形成してある。
【００１１】
上記下がり開口部８は、例えば、前甲上縁部２ａから若干の前傾斜状態８ａで下方に大きく開口し、小指関節部の後部部位で前方に向かって最も深い開口部８ｂとなり、接際部（アッパーと靴底の境界部）に至る下端部を後方向の湾曲傾斜状態に形成し、また、踵上縁部５ａから上記深い開口部８ｂ下方の接際部付近に至るように、前方に向かって緩やかな下がり傾斜縁８ｃで開口部をかたどり、この下がり傾斜縁の先端寄りの適宜間隔部分（例えば数ｃｍ程度の部分）を、内底７の上面よりも僅かに高い高さＨ（例えば１ｃｍにも満たない程度の高さでよい）の低部状態８ｄとして形成してある。
【００１２】
また、踵部５の後側には図４に示すごとく、上縁を折返したベルト９を縦方向に縫着乃至接着などして装着し、その上縁部内に適度な柔軟性を有した合成樹脂製などの摘みリング１０の下端が保持されるようにして、リングを装着させておくことができる。
【００１３】
上記構成の靴を履くには、図５，６に示すごとく、足の横側に下がり開口部が対向するように（下がり開口部を靴外側に形成してあれば足の内横に）靴を置き、親指から足先部を、横方向にずらしつつ（矢視のごとく）下がり開口部を含む履き口から靴内に差込み、そのまま足全体を靴内に収めればよい。足を横にずらすのは、特に内側（親指側）にずらす動きは、前方に向かって加圧するのと異なって容易である。この際、摘みリング１０を摘んで引き上げるようにすることができれば足が靴内に一層収まりやすい。リングは適度な弾性を有していれば扱いに一層抵抗がない。
【００１４】
前傾斜状態８ａ及び深い開口部８ｂによりかたどられる開口部は、足前部が靴内に挿入できるに十分な大きさとし、下がり傾斜縁８ｃ及び低部８ｄは、踵を靴内に収めやすい開口状態で形成するが、履いた状態から靴が脱落してしまわないように踵部を支持可能にアッパー部分を残して形成してあることにより、履く容易さと、履いた状態での保持が確保される。
低部８ｄは、形成されていなくてもよいが、僅かに足底の横部分が引っ掛かる程度の高さでも有して形成してあれば、靴の脱落或いは足の抜け外れの防止に寄与する。
【図面の簡単な説明】
【００１５】
【図１】本発明に係る靴の側面図である。
【図２】図１の靴の平面図である。
【図３】図１のIII−III線断面図である。
【図４】図１の靴の背面図である。
【図５】靴を履く過程を示す靴平面図である。
【図６】図５の同様側面図である。
【符号の説明】
【００１６】
１    アッパー
２    前甲部
２ａ  前甲上縁部
３    一側面部
３ａ  側面上縁
４    他側面部
５    踵部
５ａ  踵上縁部
６    大底
７    内底
８    下がり開口部
８ａ  前傾斜状態
８ｂ  深い開口部
８ｃ  下がり傾斜縁
８ｄ  低部
９    ベルト
１０  摘みリング
【図１】
2005245831.tif 000003
【図２】
2005245831.tif 000004
【図３】
2005245831.tif 000005
【図４】
2005245831.tif 000006
【図５】
2005245831.tif 000007
【図６】
2005245831.tif 000008